(57)【要約】      （修正有）【課題】インタフェースカードの使用数量を増しケース空間の使用弾性を増した横式コンピュータアセンブリの提供。【解決手段】コンピュータケース１０の底板２０に保留エリア２０１が保留され、この保留エリア２０１に公用規格のマザーボード１２が組付けられ、これにより使用者がハードウエア設備を更新したい時、新たにケースを購入する必要が無くなりコンピュータケース１０共用の目的が達成される。また、更にアダプタカード１４を具え、このアダプタカード１４が縦向きに下向きにマザーボード１２の縦向きスロット１２１の上開口内に挿入され、且つこのアダプタカード１４が複数の横向きスロットを具え、各横向きスロットが横向き開口を具え、該横向き開口がコンピュータの関係アプリケーションのインタフェースカードの挿入に供され、これによりインタフェースカードの使用数量を増しケース空間の使用弾性を増すことができる。【選択図】図２
2005353029.tif 000002
【特許請求の範囲】
【請求項１】
底板を具え、該底板が保留エリアと余剰エリアを具え、該余剰エリアがケースの保留エリア以外のエリアを指す、ケースと、
該底板の該保留エリアの上方に対応し組付けられ且つ少なくとも一つの縦向きスロットを具え、該少なくとも一つの縦向きスロットが上開口を具えている、マザーボードと、
該少なくとも一つの縦向きスロットの上開口内に縦向きに下向きに挿入され、且つ複数の横向きスロットを具え、各横向きスロットが横向き開口を具えている、アダプタカードと、
該アダプタカードの横向き開口に対応し横向きに挿入されて該ケースの余剰エリアの上方に対応し横向きに延伸された、複数のカードと、
を具えたことを特徴とする、横式コンピュータアセンブリ。
【請求項２】
請求項１記載の横式コンピュータアセンブリにおいて、前記ケースが直立後板を具え、該直立後板の上端に少なくとも一つのネジ孔が開設され、前記アダプタカードの上面に組付け片が横向きに延設され、該組付け片の一部が直立後板の上端に重畳し、該組付け片に貫通する少なくとも一つの穿孔が設けられて該穿孔が該ネジ孔に対応してネジで固定されることを特徴とする、横式コンピュータアセンブリ。
【請求項３】
請求項１記載の横式コンピュータアセンブリにおいて、前記アダプタカードの横向きスロットの少なくとも一つが長型アダプタスロットとされたことを特徴とする、横式コンピュータアセンブリ。
【請求項４】
請求項１記載の横式コンピュータアセンブリにおいて、前記アダプタカードの横向きスロットの少なくとも一つが短型アダプタスロットとされたことを特徴とする、横式コンピュータアセンブリ。
【請求項５】
請求項１記載の横式コンピュータアセンブリにおいて、前記ケースが横式家電標準規格とされたことを特徴とする、横式コンピュータアセンブリ。
【請求項６】
請求項１記載の横式コンピュータアセンブリにおいて、前記マザーボードが標準型マザーボードの特定規格とされたことを特徴とする、横式コンピュータアセンブリ。
【発明の詳細な説明】
【技術分野】
【０００１】
本発明は一種のコンピュータケースに係り、特に横式コンピュータに適用されるコンピュータケースに関する。
【背景技術】
【０００２】
現在市販されている横式コンピュータの多くは空間の因子に制限されるため自己製作のマザーボードの使用が主流であり、このため消費者が自分で配備をグレードアップできず、メーカーが新たな機種を販売するまで更新を待たねばならない。且つ古い機器の処理も問題となる。メーカーにとっては、既存のケースを新しい基板に応用できないということは、金型を共用できないのみならず、基板、ケースを自己製作しなければならず、このような新たな開発は、費用の追加、開発スケジュールの増加、ハードウエア開発上の不便を形成する。
【０００３】
しかし、一般にコンピュータ装置のケースは往々にしてその空間サイズの制限があり、ケースは往々にして矮小であり、このためケースとマザーボードの間の空間に一般のインタフェースカードを収容することはできず、且つインタフェースカード自身もまた高さの制限を有し、高度の干渉の問題を考慮しなければならない。これにより、実行可能な方式としては、サーバーのケースの高さと大きさを増すことであるが、これはサーバーの体積を膨大としその重量を増し、並びに小型化の訴求を達成できなくなる。
【発明の開示】
【発明が解決しようとする課題】
【０００４】
本発明は一種の横式コンピュータアセンブリを提供することを目的とする。それはコンピュータケース内に組付けられ、且つこの横式コンピュータアセンブリはマザーボード、アダプタカード及び複数のカードを具えている。そのうち、コンピュータケースは底板を具え、且つこの底板が保留エリアと余剰エリアを具え、そのうち該余剰エリアはケースの保留エリア以外のエリアとされる。前述のマザーボードのコンピュータケース底板の保留エリアの特定サイズに対応し、並びに保留エリアに組付けられ、このマザーボードは縦向きスロットを具え、該縦向きスロットは上開口を具えている。
【０００５】
前述のアダプタカードは縦向き下向きにマザーボードの縦向きスロットの上開口内に挿入され、且つこのアダプタカードは複数の横向きスロットを具え、各横向きスロットは横向き開口を具えている。本発明の横式コンピュータアセンブリは更に複数のカードを具え、この複数のカードは前述のアダプタカードの複数の横向きスロットの横向き開口内に横向きに挿入され、且つこの複数のカードはコンピュータケースの余剰エリアの上方に対応し横向きに延伸される。本発明の横式コンピュータアセンブリはコンピュータケースに共用の目的を達成させると共に、ハードウエア開発コストを節約し使用の便利性を増す。
【課題を解決するための手段】
【０００６】
請求項１の発明は、底板を具え、該底板が保留エリアと余剰エリアを具え、該余剰エリアがケースの保留エリア以外のエリアを指す、ケースと、
該底板の該保留エリアの上方に対応し組付けられ且つ少なくとも一つの縦向きスロットを具え、該少なくとも一つの縦向きスロットが上開口を具えている、マザーボードと、
該少なくとも一つの縦向きスロットの上開口内に縦向きに下向きに挿入され、且つ複数の横向きスロットを具え、各横向きスロットが横向き開口を具えている、アダプタカードと、
該アダプタカードの横向き開口に対応し横向きに挿入されて該ケースの余剰エリアの上方に対応し横向きに延伸された、複数のカードと、
を具えたことを特徴とする、横式コンピュータアセンブリとしている。
請求項２の発明は、請求項１記載の横式コンピュータアセンブリにおいて、前記ケースが直立後板を具え、該直立後板の上端に少なくとも一つのネジ孔が開設され、前記アダプタカードの上面に組付け片が横向きに延設され、該組付け片の一部が直立後板の上端に重畳し、該組付け片に貫通する少なくとも一つの穿孔が設けられて該穿孔が該ネジ孔に対応してネジで固定されることを特徴とする、横式コンピュータアセンブリとしている。
請求項３の発明は、請求項１記載の横式コンピュータアセンブリにおいて、前記アダプタカードの横向きスロットの少なくとも一つが長型アダプタスロットとされたことを特徴とする、横式コンピュータアセンブリとしている。
請求項４の発明は、請求項１記載の横式コンピュータアセンブリにおいて、前記アダプタカードの横向きスロットの少なくとも一つが短型アダプタスロットとされたことを特徴とする、横式コンピュータアセンブリとしている。
請求項５の発明は、請求項１記載の横式コンピュータアセンブリにおいて、前記ケースが横式家電標準規格とされたことを特徴とする、横式コンピュータアセンブリとしている。
請求項６の発明は、請求項１記載の横式コンピュータアセンブリにおいて、前記マザーボードが標準型マザーボードの特定規格とされたことを特徴とする、横式コンピュータアセンブリとしている。
【発明の効果】
【０００７】
本発明の横式コンピュータアセンブリによると、コンピュータケースの底板に保留エリアが保留され、この保留エリアに公用規格のマザーボードが組付けられ、これにより使用者がハードウエア設備を更新したい時、新たにケースを購入する必要が無くなりコンピュータケース共用の目的が達成される。また、更にアダプタカードを具え、このアダプタカードが縦向きに下向きにマザーボードの縦向きスロットの上開口内に挿入され、且つこのアダプタカードが複数の横向きスロットを具え、各横向きスロットが横向き開口を具え、該横向き開口がコンピュータの関係アプリケーションのインタフェースカードの挿入に供され、これによりインタフェースカードの使用数量を増しケース空間の使用弾性を増すことができる。
【発明を実施するための最良の形態】
【０００８】
本発明の横式コンピュータアセンブリは図１の立体組合せ図と図２の立体分解図に示されるように、ケース１０、マザーボード１２、及びアダプタカード１４を具え、本実施例では、本発明のケース１０の所定規格は横式家電標準規格（例えば家庭用ＤＶＤプレイヤーの規格サイズ）とされ、その規格サイズは４３０×３７５×９０ｍｍとされ、このケース１０は底板２０を具え、この底板２０は保留エリア２０１を具え、上述のマザーボード１２は底板２０の保留エリア２０１上に対応し、並びに保留エリア２０１上に組付けられ、このマザーボード１２はＭｉｃｒｏ  ＡＴＸ系列マザーボードとされ、そのサイズは２４３．８４×２４３．８４ｍｍとされ、このマザーボード１２に縦向きスロット１２１が組付けられ、且つ上述の縦向きスロット１２１は上向きの上開口を具えている。
【０００９】
前述のアダプタカード１４は図３に示されるように、縦向きに下向きにマザーボード１２の上開口内に挿入され、且つ前述のアダプタカード１４は、本実施例では、図４も参照されたいが、三つの横向きスロット１４３、１４４を具えている。そのうち、横向きスロット１４３は長型アダプタスロットとされ、横向きスロット１４４は短型アダプタスロットとされ、各横向きスロット１４３、１４４は横向き開口を具え、且つカード１４１、１４２が挿入され、カード１４１、１４２は横向きにアダプタカード１４上の横向きスロット１４３、１４４の横向き開口内に挿入され、且つ前述のアダプタカード１４１、１４２が横向きスロットに挿入された後、それぞれケース１０の余剰エリアの上方に対応し横向きに延伸され、ケース１０空間の使用上の弾性を増す。
【００１０】
前述のカード１４１は長型アダプタ（Ｌｏｎｇ  Ｐｒｏｆｉｌｅ  Ａｄａｐｔｅｒ）とされ、カード１４２は短型アダプタ（Ｌｏｗ  Ｐｒｏｆｉｌｅ  Ａｄａｐｔｅｒ）とされる。そのうち、長型アダプタは上述の横向きスロット１４３に対応し挿入され、短型アダプタは上述の横向きスロット１４４に対応し挿入される。
【００１１】
このほか、本実施例では、ケース１０は直立後板１６を具え、図２を参照されたいが、この直立後板１６の上端にネジ孔１６１が開設され、且つアダプタカード１４の上面に横向きに延伸された組付け片１５が設けられ、この組付け片１５の一部が直立後板１６の上端に重畳し、且つ組付け片１５を貫通しネジ孔１６１に対応する貫通孔１５１が設けられ、ネジが穿孔１５１に挿通された後にネジ孔１６１に固定される。
【００１２】
これにより、前述の各カード１４１はいずれも水平方式でアダプタカード１４の横向きスロットに挿入され、これにより十分にケース１０の内部空間を利用でき、またケース１０の有限な空間に複数のカードスロットが収容され、これによりカードの使用数量及びコンピュータケース使用上の便利性が増す。
【００１３】
上述の実施例は説明のために例示されたもので本発明の範囲を限定するものではなく、本発明に基づきなしうる細部の修飾或いは改変は、いずれも本発明の請求範囲に属するものとする。
【図面の簡単な説明】
【００１４】
【図１】本発明の実施例の立体組合せ図である。
【図２】本発明の実施例の立体分解図である。
【図３】本発明の実施例の組合せ構造細部分解図である。
【図４】本発明の実施例の組合せ構造の別角度から観た細部分解図である。
【符号の説明】
【００１５】
１０  ケース            １２  マザーボード          １２１  縦向きスロット
１４  アダプタカード    １４１  長型アダプタ        １４２  短型アダプタ
１４３  横向きスロット  １４４  横向きスロット      １５  組付け片
１５１  穿孔            １６  直立後板              １６１  ネジ孔
２０  底板              ２０１  保留エリア          ２０２  余剰エリア
【図１】
2005353029.tif 000003
【図２】
2005353029.tif 000004
【図３】
2005353029.tif 000005
【図４】
2005353029.tif 000006